(57)【要約】【課題】  光ディスクに記録された媒体情報に基づいてテスト記録を簡素化して行い、光ピックアップと光ディスクとの相性から最適な記録条件を算出して、情報データの光ディスクへの記録性能を向上させることができるようにする。【解決手段】  光ディスクに記録されている記録媒体情報を読み出して、格納されている予め設定された複数の既知の記録媒体のタイプ毎の記録条件のパラメータの中の同様なタイプの既知の記録媒体の記録条件と照合し、光ディスクに対する記録条件を算出して、算出された記録条件に基づいて所定のテストデータを光ディスクにテスト記録して再生し、再生されたテストデータのＲＦ信号のエラーレート、ジッタを測定して、測定されたエラーレート、ジッタが所定の範囲内の値である場合、光ディスクに対する記録条件として記憶するようにする。【選択図】        図３
2006302402.tif 000002
【特許請求の範囲】
【請求項１】
光ディスクに情報データを記録再生するディスク記録再生装置であって、
予め設定された複数の既知の記録媒体のタイプ毎の記録条件のパラメータを格納するフラッシュＲＯＭと、光ディスクに記録されている記録媒体情報を読み出す読出手段と、前記読出手段により読み出された記録媒体情報を前記フラッシュＲＯＭに格納されている同様なタイプの既知の記録媒体の記録条件と照合して、光ディスクに対する記録条件を算出する第１の算出手段と、前記第１の算出手段により算出された記録条件に基づいて所定のテストデータを光ディスクにテスト記録して再生し、再生されたテストデータのＲＦ信号のエラーレート、ジッタを測定する測定手段と、前記測定手段により測定されたエラーレート、ジッタが所定の範囲内の値であるか否かを判別する第１の判別手段と、前記第１の判別手段が前記測定手段により測定されたエラーレート、ジッタが所定の範囲内の値であると判別した場合、光ディスクに対する記録条件として記憶する記憶手段と、前記第１の判別手段が前記測定手段により測定されたエラーレート、ジッタが所定の範囲内の値でないと判別した場合、再生されたテストデータのＲＦ信号から変調度、β値を算出する第２の算出手段と、前記第２の算出手段により算出された変調度、β値が前記フラッシュＲＯＭに格納されている同様なタイプの既知の記録媒体の記録条件のパラメータの変調度、β値と同じであるか否かを判別する第２の判別手段と、前記第２の判別手段が前記第２の算出手段により算出された変調度、β値が前記フラッシュＲＯＭに格納されている同様なタイプの既知の記録媒体の記録条件のパラメータの変調度、β値と同じでないと判別した場合、同様なタイプの既知の記録媒体の記録条件のパラメータの変調度、β値になるように記録パワーを設定する設定手段とを備えたことを特徴とするディスク記録再生装置。
【請求項２】
光ディスクに情報データを記録再生するディスク記録再生装置であって、
予め設定された複数の既知の記録媒体のタイプ毎の記録条件のパラメータを格納する格納手段と、光ディスクに記録されている記録媒体情報を読み出す読出手段と、前記読出手段により読み出された記録媒体情報を前記格納手段に格納されている同様なタイプの既知の記録媒体の記録条件と照合して、光ディスクに対する記録条件を算出する第１の算出手段と、前記第１の算出手段により算出された記録条件に基づいて所定のテストデータを光ディスクにテスト記録して再生し、再生されたテストデータのＲＦ信号のエラーレート、ジッタを測定する測定手段と、前記測定手段により測定されたエラーレート、ジッタが所定の範囲内の値であるか否かを判別する第１の判別手段と、前記第１の判別手段が前記測定手段により測定されたエラーレート、ジッタが所定の範囲内の値であると判別した場合、光ディスクに対する記録条件として記憶する記憶手段とを備えたことを特徴とするディスク記録再生装置。
【請求項３】
前記第１の判別手段が前記測定手段により測定されたエラーレート、ジッタが所定の範囲内の値でないと判別した場合、再生されたテストデータのＲＦ信号から変調度、β値を算出する第２の算出手段と、前記第２の算出手段により算出された変調度、β値が前記格納手段に格納されている同様なタイプの既知の記録媒体の記録条件のパラメータの変調度、β値と同じであるか否かを判別する第２の判別手段と、前記第２の判別手段が前記第２の算出手段により算出された変調度、β値が前記格納手段に格納されている同様なタイプの既知の記録媒体の記録条件のパラメータの変調度、β値と同じでないと判別した場合、同様なタイプの既知の記録媒体の記録条件のパラメータの変調度、β値になるように記録パワーを設定する設定手段とを更に備えたことを特徴とする請求項２記載のディスク記録再生装置。
【請求項４】
前記格納手段は、フラッシュＲＯＭであることを特徴とする請求項２記載のディスク記録再生装置。
【発明の詳細な説明】
【技術分野】
【０００１】
本発明は、光ディスクに情報データを記録再生するディスク記録再生装置に係り、特に新たな相変化型記録媒体の光ディスクにも対応可能なディスク記録再生装置に関する。
【背景技術】
【０００２】
従来、ディスク記録再生装置を製品化して市場に出荷した後に、新たな相変化型記録媒体の光ディスクが発売されると、その光ディスクに対する記録条件が設計時に考慮されていないため、その光ディスクをディスク記録再生装置に装着すると、その光ディスクが未知の光ディスクと判別されて、その光ディスクに記録されている記録媒体情報から記録条件を算出して情報データを光ディスクに記録するようになっていた。そのため、記録媒体情報から算出された記録条件で情報データを記録した場合に、光ピックアップの特性が光ディスクの最適記録条件であるとは限らず、記録性能が低下して情報データの記録品質が劣化するという問題点があった。
背景技術としては、複数のデータをそれぞれのデータ毎にストラテジやレーザパワー設定値等の異なった書き込み設定値で光ディスクに書き込み、書き込まれた複数のデータのそれぞれのジッタ値やエラーレート等の記録品位情報を測定して、最適な書き込み設定値で光ディスクにデータを書き込むようにしたものがあった（例えば、特許文献１参照）。
また、テスト記録データに基づいて記録パルス信号を生成し、記録パルス信号中のクーリングパルスのレベルを変更しつつテスト記録を行って、テスト記録データを再生して再生信号の波形を評価し、目標アシンメトリ値が得られるクーリングレベルを最適クーリングレベルとして設定するようにしたものがあった（例えば、特許文献２参照）。
また、記録信号のパルス幅を相対的に短くし、記録パワーを適正なアシンメトリ値が得られる値に設定して、ジッタを相対的に低減した記録を行い、記録信号のパルス幅を相対的に長くし、記録パワーを適正なアシンメトリ値が得られる値に設定して、クロストークを相対的に低減した記録を行うようにしたものがあった（例えば、特許文献３参照）。
【特許文献１】特開２００４−２９６０６８号公報
【特許文献２】特開２００４−５５１１５号公報
【特許文献３】特開２００４−２５９３９０号公報
【発明の開示】
【発明が解決しようとする課題】
【０００３】
しかしながら、背景技術で述べたもののうち最初のものにおいては、複数のデータをそれぞれのデータ毎にストラテジやレーザパワー設定値等の異なった書き込み設定値で光ディスクに書き込み、書き込まれた複数のデータのそれぞれのジッタ値やエラーレート等の記録品位情報を測定して、最適な書き込み設定値で光ディスクにデータを書き込むことができたが、ストラテジやレーザパワー設定値等の異なった書き込み設定値で光ディスクに書き込んだ複数のデータのそれぞれのジッタ値やエラーレート等の記録品位情報を測定して、最適な書き込み設定値を設定するようにしていたため、データの書き込みを行うまでに複雑な工程を必要とするという問題点があった。
また、次のものにおいては、テスト記録データに基づいて記録パルス信号を生成し、記録パルス信号中のクーリングパルスのレベルを変更しつつテスト記録を行って、テスト記録データを再生して再生信号の波形を評価し、目標アシンメトリ値が得られるクーリングレベルを最適クーリングレベルとして設定することができたが、記録パルス信号中のクーリングパルスのレベルを変更しつつテスト記録を行って、目標アシンメトリ値が得られるクーリングレベルを最適クーリングレベルとして設定するようにしていたため、データの書き込みを行うまでに時間を要するという問題点があった。
また、更にその次のものにおいては、記録信号のパルス幅を相対的に短くし、記録パワーを適正なアシンメトリ値が得られる値に設定して、ジッタを相対的に低減した記録を行い、記録信号のパルス幅を相対的に長くし、記録パワーを適正なアシンメトリ値が得られる値に設定して、クロストークを相対的に低減した記録を行うことができたが、光ピックアップと光ディスクとの相性が合っていない場合、記録条件を変更しても最適な記録条件でない場合、情報データを光ディスクに最適条件で記録することができないという問題点があった。
本発明は、背景技術の有するこのような問題点に鑑みてなされたものであり、その目的とするところは、光ディスクに記録された媒体情報に基づいてテスト記録を簡素化して行い、光ピックアップと光ディスクとの相性から最適な記録条件を算出して、情報データの光ディスクへの記録性能を向上させることができるディスク記録再生装置を提供しようとするものである。
【課題を解決するための手段】
【０００４】
上記目的を達成するため本発明においては、光ディスクに情報データを記録再生するディスク記録再生装置であって、予め設定された複数の既知の記録媒体のタイプ毎の記録条件のパラメータを格納する格納手段と、光ディスクに記録されている記録媒体情報を読み出す読出手段と、前記読出手段により読み出された記録媒体情報を前記格納手段に格納されている同様なタイプの既知の記録媒体の記録条件と照合して、光ディスクに対する記録条件を算出する第１の算出手段と、前記第１の算出手段により算出された記録条件に基づいて所定のテストデータを光ディスクにテスト記録して再生し、再生されたテストデータのＲＦ信号のエラーレート、ジッタを測定する測定手段と、前記測定手段により測定されたエラーレート、ジッタが所定の範囲内の値であるか否かを判別する第１の判別手段と、前記第１の判別手段が前記測定手段により測定されたエラーレート、ジッタが所定の範囲内の値であると判別した場合、光ディスクに対する記録条件として記憶する記憶手段とを備える。
更に、前記第１の判別手段が前記測定手段により測定されたエラーレート、ジッタが所定の範囲内の値でないと判別した場合、再生されたテストデータのＲＦ信号から変調度、β値を算出する第２の算出手段と、前記第２の算出手段により算出された変調度、β値が前記格納手段に格納されている同様なタイプの既知の記録媒体の記録条件のパラメータの変調度、β値と同じであるか否かを判別する第２の判別手段と、前記第２の判別手段が前記第２の算出手段により算出された変調度、β値が前記格納手段に格納されている同様なタイプの既知の記録媒体の記録条件のパラメータの変調度、β値と同じでないと判別した場合、同様なタイプの既知の記録媒体の記録条件のパラメータの変調度、β値になるように記録パワーを設定する設定手段とを備える。
前記格納手段は、フラッシュＲＯＭであるとよい。
これらの手段により、光ディスクに記録された媒体情報に基づいてテスト記録を簡素化して行い、光ピックアップと光ディスクとの相性から最適な記録条件を算出して、情報データの光ディスクへの記録性能を向上させることができる。
【発明の効果】
【０００５】
請求項１記載の発明に係るディスク記録再生装置によれば、光ディスクに記録されている記録媒体情報を読み出して、読み出された記録媒体情報をフラッシュＲＯＭに格納されている予め設定された複数の既知の記録媒体のタイプ毎の記録条件のパラメータの中の同様なタイプの既知の記録媒体の記録条件と照合して、光ディスクに対する記録条件を算出して、算出された記録条件に基づいて所定のテストデータを光ディスクにテスト記録して再生し、再生されたテストデータのＲＦ信号のエラーレート、ジッタを測定して、測定されたエラーレート、ジッタが所定の範囲内の値であるか否かを判別し、測定されたエラーレート、ジッタが所定の範囲内の値であると判別された場合、光ディスクに対する記録条件として記憶するようにしているので、光ディスクに記録された媒体情報に基づいてテスト記録を簡素化して行い、光ピックアップと光ディスクとの相性から最適な記録条件を算出して、情報データの光ディスクへの記録性能を向上させることができる。また、測定されたエラーレート、ジッタが所定の範囲内の値でないと判別された場合、再生されたテストデータのＲＦ信号から変調度、β値を算出して、算出された変調度、β値が前記フラッシュＲＯＭに格納されている同様なタイプの既知の記録媒体の記録条件のパラメータの変調度、β値と同じであるか否かを判別し、算出された変調度、β値が前記フラッシュＲＯＭに格納されている同様なタイプの既知の記録媒体の記録条件のパラメータの変調度、β値と同じでないと判別された場合、同様なタイプの既知の記録媒体の記録条件のパラメータの変調度、β値になるように記録パワーを設定するようにしているので、測定されたエラーレート、ジッタが所定の範囲内の値でない場合、同様なタイプの既知の記録媒体の記録条件のパラメータの変調度、β値になるように記録パワーを設定して、情報データの光ディスクへの記録性能を向上させることができる。
請求項２記載の発明に係るディスク記録再生装置によれば、光ディスクに記録されている記録媒体情報を読み出して、読み出された記録媒体情報を格納されている予め設定された複数の既知の記録媒体のタイプ毎の記録条件のパラメータの中の同様なタイプの既知の記録媒体の記録条件と照合し、光ディスクに対する記録条件を算出して、算出された記録条件に基づいて所定のテストデータを光ディスクにテスト記録して再生し、再生されたテストデータのＲＦ信号のエラーレート、ジッタを測定して、測定されたエラーレート、ジッタが所定の範囲内の値であるか否かを判別し、測定されたエラーレート、ジッタが所定の範囲内の値であると判別された場合、光ディスクに対する記録条件として記憶するようにしているので、光ディスクに記録された媒体情報に基づいてテスト記録を簡素化して行い、光ピックアップと光ディスクとの相性から最適な記録条件を算出して、情報データの光ディスクへの記録性能を向上させることができる。
請求項３記載の発明に係るディスク記録再生装置によれば、測定されたエラーレート、ジッタが所定の範囲内の値でないと判別された場合、再生されたテストデータのＲＦ信号から変調度、β値を算出して、算出された変調度、β値が格納されている同様なタイプの既知の記録媒体の記録条件のパラメータの変調度、β値と同じであるか否かを判別し、算出された変調度、β値が格納されている同様なタイプの既知の記録媒体の記録条件のパラメータの変調度、β値と同じでないと判別された場合、同様なタイプの既知の記録媒体の記録条件のパラメータの変調度、β値になるように記録パワーを設定するようにしているので、測定されたエラーレート、ジッタが所定の範囲内の値でない場合、同様なタイプの既知の記録媒体の記録条件のパラメータの変調度、β値になるように記録パワーを設定して、情報データの光ディスクへの記録性能を向上させることができる。
請求項４記載の発明に係るディスク記録再生装置によれば、予め設定された複数の既知の記録媒体のタイプ毎の記録条件のパラメータを格納するようにしているので、記録媒体のタイプ毎の記録条件のパラメータを容易に追加、変更することができる。
【発明を実施するための最良の形態】
【０００６】
以下、適宜図面を参照しながら本発明を実施するための最良の形態を詳述する。図１は本発明の一実施例のディスク記録再生装置の構成を示すブロック図であり、図２は本発明の一実施例のディスク記録再生装置の予め設定された複数の記録媒体の記録条件のパラメータの一覧例を示す説明図であり、図３は本発明の一実施例のディスク記録再生装置の光ディスクに対する記録条件の設定動作を示すフローチャートである。
まず、図１の本発明の一実施例のディスク記録再生装置の構成を示すブロック図を基に説明する。
ディスク記録再生装置１は、光ディスク２の記録面にレーザ光を照射して情報データを光ディスク２に記録するとともに、光ディスク２の記録面にレーザ光を照射してその反射光を検出して光ディスク２に記録された情報データを読み出す光ピックアップ３と、光ディスク２を回転させるスピンドルモータ４と、スピンドルモータ４を駆動して光ディスク２の回転速度をサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により読み出された情報データのＲＦ信号を増幅するとともに、光ディスク２に記録する情報データのＲＦ信号を増幅するＲＦ増幅回路１０と、ＲＦ増幅回路１０により増幅された情報データのＲＦ信号を基準クロックに基づいて同期検出して復調し、復調された情報データの誤りを訂正して、所定の圧縮方式に基づいて圧縮された情報データを伸張して復号し、光ディスク２に記録された情報データを再生するとともに、情報データを符号化して所定の圧縮方式に基づいて圧縮する信号処理回路１１と、情報データを光ディスク２に記録するレーザ光の記録パワーを最適記録パワー制御する書込制御回路１２と、ディスク記録再生装置１のシステム全体を制御するマイコン１３と、予め設定された複数の既知の記録媒体のタイプ毎の記録条件のパラメータ（記録パワーＰｗ、消去パワーＰｅ、３Ｔパルス幅、４Ｔパルス幅、５Ｔ〜１４Ｔパルス幅、マルチパルス幅Ｔｍｐ、クーリングパルス幅Ｔｃｌ、ＲＦ信号の変調度、ＲＦ信号のレベル比β値。図２参照）を格納する書き換え可能な不揮発性メモリのフラッシュＲＯＭ（Ｒｅａｄ  Ｏｎｌｙ  Ｍｅｍｏｒｙ）１４と、光ディスク２に情報データを記録する記録条件等を一時的に記憶するＲＡＭ（Ｒａｎｄｏｍ  Ａｃｃｅｓｓ  Ｍｅｍｏｒｙ）１５とで構成されている。
以上のように構成されたディスク記録再生装置について、以下その動作について説明する。
光ディスク２がディスク記録再生装置１に装着されると、マイコン１３は、スピンドルサーボ回路５に制御信号を送出して、スピンドルモータ４を駆動させて光ディスク２を回転させ、スレッドサーボ回路７に制御信号を送出して、スレッドモータ６を回転させて光ピックアップ３を光ディスク２の最内周に移動させ、トラッキングサーボ回路８とフォーカスサーボ回路９とに制御信号を送出して、光ピックアップ３により光ディスク２に記録されている記録媒体情報を読み出し、フラッシュＲＯＭ１４に格納されている複数の既知の記録媒体の記録条件の中のパルス幅が同一又は類似の同様なタイプ、例えば、光ディスク２に記録されている記録媒体情報が予め設定されてフラッシュＲＯＭ１４に格納されているタイプ２の記録媒体の記録条件と同様である場合、フラッシュＲＯＭ１４に格納されているタイプ２の記録媒体の記録条件と照合して（図２参照）、ディスク記録再生装置１に装着された光ディスク２に対する記録条件を算出する。
ディスク記録再生装置１に装着された光ディスク２に対する記録条件が算出されると、マイコン１３は、書込制御回路１２に制御信号を送出して、算出された記録条件に基づいて光ピックアップ３により光ディスク２に所定のテストデータをテスト記録し、テスト記録されたテストデータを再生して、再生されたテストデータのＲＦ信号のエラーレート、ジッタを測定する。測定されたエラーレート、ジッタが所定の範囲内の値である場合、マイコン１３は、ディスク記録再生装置１に装着された記録媒体の光ディスク２に対する記録条件としてＲＡＭ１５に記憶する。そして、情報データの光ディスク２への記録が指令されると、マイコン１３は、ＲＡＭ１５に記憶されている光ディスク２に対する記録条件に基づいて最適記録パワーで情報データを光ディスク２に記録する。
また、測定されたエラーレート、ジッタが所定の範囲内の値でない場合、マイコン１３は、再生されたテストデータのＲＦ信号から変調度、β値を算出して、算出された変調度、β値をフラッシュＲＯＭ１４に格納されている複数の既知の記録媒体の記録条件の中の同様なタイプの記録媒体の記録条件と照合する。そして、算出された変調度、β値が既知の記録媒体の記録条件の変調度、β値と同様でない場合、マイコン１３は、同様なタイプの既知の記録媒体の記録条件の変調度、β値になるように最適記録パワーを設定し、書込制御回路１２に制御信号を送出して、光ディスク２への所定のテストデータのテスト記録と再生とを繰り返して光ディスク２の記録条件を設定し、光ディスク２に対する記録条件としてＲＡＭ１５に記憶する。なお、テスト記録を繰り返した結果、算出された変調度、β値が既知の記録媒体の記録条件の変調度、β値と同様である場合、マイコン１３は、光ピックアップ３の特性とディスク記録再生装置１に装着された記録媒体の光ディスク２の特性とが合わないと判断し、記録媒体への情報データの記録を中止する。
また、図３の本発明の一実施例のディスク記録再生装置の光ディスクに対する記録条件の設定動作を示すフローチャートを基に説明する。
光ディスクがディスク記録再生装置に装着されると、ステップＳ１からステップＳ２に進み、ステップＳ２で、光ディスクから記録媒体情報が読み出されて、フラッシュＲＯＭに格納されている複数の既知の記録媒体の記録条件の中の同様なタイプの記録媒体の記録条件と照合され、ディスク記録再生装置に装着された光ディスクに対する記録条件が算出されて、ステップＳ３に進む。
ステップＳ３で、算出された記録条件に基づいて光ディスクに所定のテストデータがテスト記録されて、テスト記録されたテストデータが再生され、再生されたテストデータのＲＦ信号のエラーレート、ジッタが測定されて、ステップＳ４に進む。
ステップＳ４で、測定されたエラーレート、ジッタが所定の範囲内の値であるか否かが判断され、測定されたエラーレート、ジッタが所定の範囲内の値である場合、ステップＳ９に進み、測定されたエラーレート、ジッタが所定の範囲内の値でない場合、ステップＳ５に進む。
ステップＳ５で、再生されたテストデータのＲＦ信号から変調度、β値が算出されて、ステップＳ６に進む。
ステップＳ６で、算出された変調度、β値がフラッシュＲＯＭに格納されている複数の既知の記録媒体の記録条件の中の同様なタイプの記録媒体の記録条件と照合されて、算出された変調度、β値が既知の記録媒体の記録条件の変調度、β値と同じであるか否かが判断され、算出された変調度、β値が既知の記録媒体の記録条件の変調度、β値と同じである場合、ステップＳ８に進み、算出された変調度、β値が既知の記録媒体の記録条件の変調度、β値と同じでない場合、ステップＳ７に進む。
ステップＳ７で、フラッシュＲＯＭに格納されている複数の既知の記録媒体の記録条件の中の同様なタイプの既知の記録媒体の記録条件の変調度、β値になるように最適記録パワーが設定され、ステップＳ３に戻って、ステップＳ３からのステップを繰り返す。
ステップＳ８で、光ピックアップの特性と記録媒体の特性とが合わないと判断され、記録媒体への情報データの記録が中止されて、ステップＳ１０に進んで処理を終了する。
ステップＳ９で、ディスク記録再生装置に装着された記録媒体に対する記録条件としてＲＡＭに記憶され、ステップＳ１０に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク記録再生装置の構成を示すブロック図である。
【図２】本発明の一実施例のディスク記録再生装置の予め設定された複数の記録媒体の記録条件のパラメータの一覧例を示す説明図である。
【図３】本発明の一実施例のディスク記録再生装置の光ディスクに対する記録条件の設定動作を示すフローチャートである。
【符号の説明】
【０００８】
１  ディスク記録再生装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  ＲＦ増幅回路
１１  信号処理回路
１２  書込制御回路
１３  マイコン
１４  フラッシュＲＯＭ
１５  ＲＡＭ
【図１】
2006302402.tif 000003
【図２】
2006302402.tif 000004
【図３】
2006302402.tif 000005